(57)【要約】  一実施形態に係る通信制御方法は、アンライセンスバンドで運用されるセルにおいて第１通信装置が第２通信装置との無線通信を行うための方法である。前記通信制御方法は、前記セルのキャリア周波数内において、第１帯域幅部分と、前記第１帯域幅部分よりも帯域幅が狭い第２帯域幅部分とを設定することと、前記第１通信装置が、前記第１帯域幅部分及び前記第２帯域幅部分について妨害波電力を測定することと、前記第１通信装置が、前記測定の結果に基づいて、妨害波が存在しないと評価した帯域幅部分を用いて前記第２通信装置に無線信号を送信することとを含む。
2020145000.tif 000002
【特許請求の範囲】
【請求項１】
アンライセンスバンドで運用されるセルにおいて第１通信装置が第２通信装置との無線通信を行うための通信制御方法であって、
前記セルのキャリア周波数内において、第１帯域幅部分と、前記第１帯域幅部分よりも帯域幅が狭い第２帯域幅部分とを設定することと、
前記第１通信装置が、前記第１帯域幅部分及び前記第２帯域幅部分について妨害波電力を測定することと、
前記第１通信装置が、前記測定の結果に基づいて、妨害波が存在しないと評価した帯域幅部分を用いて前記第２通信装置に無線信号を送信することと、を含む
通信制御方法。
【請求項２】
前記第１通信装置が、前記測定の結果に基づいて、前記第１帯域幅部分に妨害波が存在すると評価した場合、前記第２帯域幅部分に妨害波が存在するか否かを評価することをさらに含み、
前記送信することは、前記第１通信装置が、前記第２帯域幅部分に妨害波が存在しないと評価した場合、前記第２帯域幅部分を用いて前記第２通信装置に無線信号を送信することを含む
請求項１に記載の通信制御方法。
【請求項３】
前記設定することは、周波数方向において前記第２帯域幅部分を前記第１帯域幅部分と重複させて設定することを含み、
前記測定することは、前記第１帯域幅部分について所定の周波数単位ごとに妨害波電力を測定することにより、前記第１帯域幅部分の測定結果だけではなく前記第２帯域幅部分の測定結果も取得することを含む
請求項１又は２に記載の通信制御方法。
【請求項４】
前記第１通信装置はユーザ装置であり、前記第２通信装置は基地局である
請求項１乃至３のいずれか１項に記載の通信制御方法。
【請求項５】
アンライセンスバンドで運用されるセルにおいて用いられる通信制御方法であって、
前記セルに在圏する第１通信装置から第２通信装置に送信するデータが発生した場合、前記第１通信装置の物理レイヤが、前記アンライセンスバンドについて妨害波電力を測定することにより、妨害波が存在するか否かの評価を行うことと、
前記第１通信装置から前記第２通信装置に送信するデータが発生していない場合であっても、前記第１通信装置の上位レイヤから前記物理レイヤに対する指示に応じて、前記物理レイヤが前記評価を行うことと、
前記指示に応じて行われた前記評価の結果を前記物理レイヤから前記上位レイヤに通知することと、を含む
通信制御方法。
【請求項６】
前記上位レイヤが、前記物理レイヤからの前記通知に基づいて、前記アンライセンスバンドについて混雑度を判定することをさらに含む
請求項５に記載の通信制御方法。
【請求項７】
前記上位レイヤは、ＭＡＣ（Ｍｅｄｉｕｍ  Ａｃｃｅｓｓ  Ｃｏｎｔｒｏｌ）レイヤである
請求項５又は６に記載の通信制御方法。
【請求項８】
アンライセンスバンドで運用されるセルにおいて、ＲＲＣ（Ｒａｄｉｏ  Ｒｅｓｏｕｒｃｅ  Ｃｏｎｔｒｏｌ）コネクティッド状態にあるユーザ装置が、前記セルのキャリア周波数について妨害波電力を測定することにより前記セルについて混雑度を評価することと、
前記ユーザ装置が、前記評価した混雑度に基づいて無線リンク障害を検知することと、
前記無線リンク障害の検知に応じて、前記ＲＲＣコネクティッド状態を維持しつつ前記セルとは異なるセルを選択することにより、ＲＲＣ再確立処理を行うことと、を含む
通信制御方法。
【請求項９】
アンライセンスバンドで運用されるセルにおいて、ＲＲＣ（Ｒａｄｉｏ  Ｒｅｓｏｕｒｃｅ  Ｃｏｎｔｒｏｌ）アイドル状態又はＲＲＣインアクティブ状態にあるユーザ装置が、前記セルのキャリア周波数に設定された優先度よりも高い優先度を有する高優先度周波数について妨害波電力を測定することにより、前記高優先度周波数について混雑度を評価することと、
前記ユーザ装置が、前記高優先度周波数が混雑していると評価した場合、一定期間において前記高優先度周波数に対する測定をスキップすることと、を含む
通信制御方法。
【請求項１０】
アンライセンスバンドで運用されるセルにおいて、ＲＲＣ（Ｒａｄｉｏ  Ｒｅｓｏｕｒｃｅ  Ｃｏｎｔｒｏｌ）アイドル状態又はＲＲＣインアクティブ状態にあるユーザ装置が、所定条件が満たされた場合に限り、前記アンライセンスバンドについて妨害波電力を測定することにより混雑度を評価することを含み、
前記所定条件は、
前記ユーザ装置が前記セルから受信する無線信号の受信電力が閾値を下回ったという条件、
前記ユーザ装置が前記セルを介してトラッキングエリア更新処理又はＲＡＮ（Ｒａｄｉｏ  Ａｃｃｅｓｓ  Ｎｅｔｗｏｒｋ）ノティフィケーションエリア更新処理を行うという条件、
前記ユーザ装置が前記セルに対する接続処理を行うという条件、及び
前記ユーザ装置が前記セルとは異なるセルの再選択処理を行うという条件、のうち少なくとも１つを含む
通信制御方法。
【請求項１１】
アンライセンスバンドで運用されるセルにおいて用いられる通信制御方法であって、
前記セルに在圏する第１通信装置から第２通信装置に送信するデータが発生した場合、前記第１通信装置が、前記データの送信を行う前にＬＢＴ（Ｌｉｓｔｅｎ  Ｂｅｆｏｒｅ  Ｔａｌｋ）を行うことと、
前記第１通信装置が、前記ＬＢＴが失敗した回数を計測することと、
前記第１通信装置が、前記ＬＢＴが失敗した回数に基づいて、前記第１通信装置と前記第２通信装置との間の無線リンク障害を検知することと、を含む
通信制御方法。
【発明の詳細な説明】
【技術分野】
【０００１】
本開示は、移動通信システムにおける通信制御方法に関する。
【背景技術】
【０００２】
従来、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）において、免許が必要な周波数帯であるライセンスバンドと免許不要な周波数帯であるアンライセンスバンドとを併用してＬＴＥ通信を行うＬＡＡ（Ｌｉｃｅｎｓｅ−Ａｓｓｉｓｔｅｄ  Ａｃｃｅｓｓ）が規定されている。なお、アンライセンスバンドは、Ｕｎｌｉｃｅｎｓｅｄ  ｓｐｅｃｔｒｕｍと呼ばれることもある。【０００３】
近年、第５世代（５Ｇ）の無線アクセス技術に位置付けられるＮＲ（Ｎｅｗ  Ｒａｄｉｏ）の標準化が３ＧＰＰにおいて進められている。現状のＮＲの仕様には、アンライセンスバンドを用いる仕組みが規定されていないが、ＮＲ通信においてアンライセンスバンドを用いる技術であるＮＲ−Ｕを導入するための議論が３ＧＰＰにおいて開始されている。【０００４】
ＮＲ−Ｕにおいては、アンライセンスバンドをライセンスバンドと併用せずにアンライセンスバンドを単独で用いることが可能になると想定される。このような想定下においては、ＬＡＡには無い新たな機能が必要になると考えられる。
【先行技術文献】
【非特許文献】
【０００５】
【非特許文献１】３ＧＰＰ技術仕様書  「ＴＳ３８．３００  Ｖ１５．３．０」  ２０１８年９月、インターネット＜ＵＲＬ：  ｈｔｔｐ：／／ｗｗｗ．３ｇｐｐ．ｏｒｇ／ｆｔｐ／／Ｓｐｅｃｓ／ａｒｃｈｉｖｅ／３８＿ｓｅｒｉｅｓ／３８．３００／３８３００−ｆ３０．ｚｉｐ＞
【発明の概要】
【０００６】
一実施形態に係る通信制御方法は、アンライセンスバンドで運用されるセルにおいて第１通信装置が第２通信装置との無線通信を行うための方法である。前記通信制御方法は、前記セルのキャリア周波数内において、第１帯域幅部分と、前記第１帯域幅部分よりも帯域幅が狭い第２帯域幅部分とを設定することと、前記第１通信装置が、前記第１帯域幅部分及び前記第２帯域幅部分について妨害波電力を測定することと、前記第１通信装置が、前記測定の結果に基づいて、妨害波が存在しないと評価した帯域幅部分を用いて前記第２通信装置に無線信号を送信することと、を含む。
【０００７】
一実施形態に係る通信制御方法は、アンライセンスバンドで運用されるセルにおいて用いられる方法である。前記通信制御方法は、前記セルに在圏する第１通信装置から第２通信装置に送信するデータが発生した場合、前記第１通信装置の物理レイヤが、前記アンライセンスバンドについて妨害波電力を測定することにより、妨害波が存在するか否かの評価を行うことと、前記第１通信装置から前記第２通信装置に送信するデータが発生していない場合であっても、前記第１通信装置の上位レイヤから前記物理レイヤに対する指示に応じて、前記物理レイヤが前記評価を行うことと、前記指示に応じて行われた前記評価の結果を前記物理レイヤから前記上位レイヤに通知することと、を含む。
【０００８】
一実施形態に係る通信制御方法は、アンライセンスバンドで運用されるセルにおいて、ＲＲＣコネクティッド状態にあるユーザ装置が、前記セルのキャリア周波数について妨害波電力を測定することにより前記セルについて混雑度を評価することと、前記ユーザ装置が、前記評価した混雑度に基づいて無線リンク障害を検知することと、前記無線リンク障害の検知に応じて、前記ＲＲＣコネクティッド状態を維持しつつ前記セルとは異なるセルを選択することにより、ＲＲＣ再確立処理を行うことと、を含む。
【０００９】
一実施形態に係る通信制御方法は、アンライセンスバンドで運用されるセルにおいて、ＲＲＣアイドル状態又はＲＲＣインアクティブ状態にあるユーザ装置が、前記セルのキャリア周波数に設定された優先度よりも高い優先度を有する高優先度周波数について妨害波電力を測定することにより、前記高優先度周波数について混雑度を評価することと、前記ユーザ装置が、前記高優先度周波数が混雑していると評価した場合、一定期間において前記高優先度周波数に対する測定をスキップすることと、を含む。
【００１０】
一実施形態に係る通信制御方法は、アンライセンスバンドで運用されるセルにおいて、ＲＲＣアイドル状態又はＲＲＣインアクティブ状態にあるユーザ装置が、所定条件が満たされた場合に限り、前記アンライセンスバンドについて妨害波電力を測定することにより混雑度を評価することを含む。前記所定条件は、前記ユーザ装置が前記セルから受信する無線信号の受信電力が閾値を下回ったという条件、前記ユーザ装置が前記セルを介してトラッキングエリア更新処理又はＲＡＮノティフィケーションエリア更新処理を行うという条件、前記ユーザ装置が前記セルに対する接続処理を行うという条件、及び前記ユーザ装置が前記セルとは異なるセルの再選択処理を行うという条件、のうち少なくとも１つを含む。
【００１１】
一実施形態に係る通信制御方法は、アンライセンスバンドで運用されるセルにおいて、前記セルに在圏する第１通信装置から第２通信装置に送信するデータが発生した場合、前記第１通信装置が、前記データの送信を行う前にＬＢＴ（Ｌｉｓｔｅｎ  Ｂｅｆｏｒｅ  Ｔａｌｋ）を行うことと、前記第１通信装置が、前記ＬＢＴが失敗した回数を計測することと、前記第１通信装置が、前記ＬＢＴが失敗した回数に基づいて、前記第１通信装置と前記第２通信装置との間の無線リンク障害を検知することと、を含む
通信制御方法。
【図面の簡単な説明】
【００１２】
【図１】実施形態に係る移動通信システムの構成を示す図である。
【図２】実施形態に係るユーザ装置の構成を示す図である。
【図３】実施形態に係る基地局の構成を示す図である。
【図４】実施形態に係るユーザプレーンの無線インターフェイスのプロトコルスタックの構成を示す図である。
【図５】実施形態に係る制御プレーンの無線インターフェイスのプロトコルスタックの構成を示す図である。
【図６】第１実施形態に係るＢＷＰの一例を示す図である。
【図７】第１実施形態に係る通信制御方法を示す図である。
【図８】第２実施形態に係る通信制御方法を示す図である。
【図９】第３実施形態に係る通信制御方法を示す図である。
【図１０】第４実施形態に係る通信制御方法を示す図である。
【図１１】第５実施形態に係る通信制御方法を示す図である。
【発明を実施するための形態】
【００１３】
図面を参照しながら、実施形態に係る移動通信システムについて説明する。図面の記載において、同一又は類似の部分には同一又は類似の符号を付している。
【００１４】
（移動通信システム）
まず、一実施形態に係る移動通信システムの構成について説明する。一実施形態に係る移動通信システムは３ＧＰＰの５Ｇシステムであるが、移動通信システムには、ＬＴＥが少なくとも部分的に適用されてもよい。
【００１５】
図１は、一実施形態に係る移動通信システムの構成を示す図である。
【００１６】
図１に示すように、移動通信システムは、ユーザ装置（ＵＥ：Ｕｓｅｒ  Ｅｑｕｉｐｍｅｎｔ）１００と、５Ｇの無線アクセスネットワーク（ＮＧ−ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）１０と、５Ｇのコアネットワーク（５ＧＣ：５Ｇ  Ｃｏｒｅ  Ｎｅｔｗｏｒｋ）２０とを有する。
【００１７】
ＵＥ１００は、移動可能な装置である。ＵＥ１００は、ユーザにより利用される装置であればどのような装置であればよい。例えば、ＵＥ１００は、携帯電話端末（スマートフォンを含む）、タブレット端末、ノートＰＣ、通信モジュール（通信カード又はチップセットを含む）、センサ若しくはセンサに設けられる装置、車両若しくは車両に設けられる装置（Ｖｅｈｉｃｌｅ  ＵＥ）、又は飛行体若しくは飛行体に設けられる装置（Ａｅｒｉａｌ  ＵＥ）である。
【００１８】
ＮＧ−ＲＡＮ１０は、基地局（５Ｇシステムにおいて「ｇＮＢ」と呼ばれる）２００を含む。ｇＮＢ２００は、ＮＧ−ＲＡＮノードと呼ばれることもある。ｇＮＢ２００は、基地局間インターフェイスであるＸｎインターフェイスを介して相互に接続される。ｇＮＢ２００は、１又は複数のセルを管理する。ｇＮＢ２００は、自セルとの接続を確立したＵＥ１００との無線通信を行う。ｇＮＢ２００は、無線リソース管理（ＲＲＭ）機能、ユーザデータ（以下、単に「データ」という）のルーティング機能、及び／又はモビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１９】
なお、ｇＮＢがＬＴＥのコアネットワークであるＥＰＣ（Ｅｖｏｌｖｅｄ  Ｐａｃｋｅｔ  Ｃｏｒｅ）に接続されてもよいし、ＬＴＥの基地局が５ＧＣに接続されてもよい。また、ＬＴＥの基地局とｇＮＢとが基地局間インターフェイスを介して接続されてもよい。
【００２０】
以下において、ｇＮＢ２００がＵＥ１００との無線通信を行う場合について主として説明するが、ｅＮＢがＵＥ１００との無線通信を行うことにより、ｅＮＢがサイドリンク通信を制御してもよい。
【００２１】
５ＧＣ２０は、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）及びＵＰＦ（Ｕｓｅｒ  Ｐｌａｎｅ  Ｆｕｎｃｔｉｏｎ）３００を含む。ＡＭＦは、ＵＥ１００に対する各種モビリティ制御等を行う。ＡＭＦは、ＮＡＳ（Ｎｏｎ−Ａｃｃｅｓｓ  Ｓｔｒａｔｕｍ）シグナリングを用いてＵＥ１００と通信することにより、ＵＥ１００が在圏するエリアの情報を管理する。ＵＰＦは、データの転送制御を行う。ＡＭＦ及びＵＰＦは、基地局−コアネットワーク間インターフェイスであるＮＧインターフェイスを介してｇＮＢ２００と接続される。
【００２２】
図２は、ＵＥ１００（ユーザ装置）の構成を示す図である。
【００２３】
図２に示すように、ＵＥ１００は、受信部１１０、送信部１２０、及び制御部１３０を備える。
【００２４】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００２５】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００２６】
制御部１３０は、ＵＥ１００における各種の制御を行う。制御部１３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。
【００２７】
図３は、ｇＮＢ２００（基地局）の構成を示す図である。
【００２８】
図３に示すように、ｇＮＢ２００は、送信部２１０、受信部２２０、制御部２３０、及びバックホール通信部２４０を備える。
【００２９】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００３０】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００３１】
制御部２３０は、ｇＮＢ２００における各種の制御を行う。制御部２３０は、少なくとも１つのプロセッサと、プロセッサと電気的に接続された少なくとも１つのメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。
【００３２】
バックホール通信部２４０は、基地局間インターフェイスを介して隣接基地局と接続される。バックホール通信部２４０は、基地局−コアネットワーク間インターフェイスを介してＡＭＦ／ＵＰＦ３００と接続される。なお、ｇＮＢは、ＣＵ（Ｃｅｎｔｒａｌ  Ｕｎｉｔ）とＤＵ（Ｄｉｓｔｒｉｂｕｔｅｄ  Ｕｎｉｔ）とで構成され（すなわち、機能分割され）、両ユニット間がＦ１インターフェイスで接続されてもよい。
【００３３】
図４は、データを取り扱うユーザプレーンの無線インターフェイスのプロトコルスタックの構成を示す図である。
【００３４】
図４に示すように、ユーザプレーンの無線インターフェイスプロトコルは、物理（ＰＨＹ）レイヤと、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＳＤＡＰ（Ｓｅｒｖｉｃｅ  Ｄａｔａ  Ａｄａｐｔａｔｉｏｎ  Ｐｒｏｔｏｃｏｌ）レイヤとを有する。
【００３５】
ＰＨＹレイヤは、符号化・復号、変調・復調、アンテナマッピング・デマッピング、及びリソースマッピング・デマッピングを行う。ＵＥ１００のＰＨＹレイヤとｇＮＢ２００のＰＨＹレイヤとの間では、物理チャネルを介してデータ及び制御情報が伝送される。
【００３６】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｇＮＢ２００のＭＡＣレイヤとの間では、トランスポートチャネルを介してデータ及び制御情報が伝送される。ｇＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００３７】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｇＮＢ２００のＲＬＣレイヤとの間では、論理チャネルを介してデータ及び制御情報が伝送される。
【００３８】
ＰＤＣＰレイヤは、ヘッダ圧縮・伸張、及び暗号化・復号化を行う。
【００３９】
ＳＤＡＰレイヤは、コアネットワークがＱｏＳ制御を行う単位であるＩＰフローとＡＳ（Ａｃｃｅｓｓ  Ｓｔｒａｔｕｍ）がＱｏＳ制御を行う単位である無線ベアラとのマッピングを行う。なお、ＲＡＮがＥＰＣに接続される場合は、ＳＤＡＰが無くてもよい。
【００４０】
図５は、シグナリング（制御信号）を取り扱う制御プレーンの無線インターフェイスのプロトコルスタックの構成を示す図である。
【００４１】
図５に示すように、制御プレーンの無線インターフェイスのプロトコルスタックは、図４に示したＳＤＡＰレイヤに代えて、ＲＲＣ（Ｒａｄｉｏ  Ｒｅｓｏｕｒｃｅ  Ｃｏｎｔｒｏｌ）レイヤ及びＮＡＳ（Ｎｏｎ−Ａｃｃｅｓｓ  Ｓｔｒａｔｕｍ）レイヤを有する。
【００４２】
ＵＥ１００のＲＲＣレイヤとｇＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｇＮＢ２００のＲＲＣとの間に接続（ＲＲＣ接続）がある場合、ＵＥ１００はＲＲＣコネクティッド状態にある。ＵＥ１００のＲＲＣとｇＮＢ２００のＲＲＣとの間に接続（ＲＲＣ接続）がない場合、ＵＥ１００はＲＲＣアイドル状態にある。また、ＲＲＣ接続が中断（サスペンド）されている場合、ＵＥ１００はＲＲＣインアクティブ状態にある。
【００４３】
ＲＲＣレイヤの上位に位置するＮＡＳレイヤは、セッション管理及びモビリティ管理等を行う。ＵＥ１００のＮＡＳレイヤとＡＭＦ３００のＮＡＳレイヤとの間では、ＮＡＳシグナリングが伝送される。
【００４４】
なお、ＵＥ１００は、無線インターフェイスのプロトコル以外にアプリケーションレイヤ等を有する。
【００４５】
（第１実施形態）
次に、上述した移動通信システムを前提として、第１実施形態について説明する。以下の各実施形態は、ＮＲ通信においてアンライセンスバンドを用いるＮＲ−Ｕを前提とする。ＮＲ−Ｕは、アンライセンスバンドをライセンスバンドと併用せずにアンライセンスバンドを単独で用いるものであってもよい。
【００４６】
アンライセンスバンドは、無線ＬＡＮなどの他のシステムからの妨害波（干渉波）が存在しうるとともに、移動通信システムの通信装置（ＵＥ１００、ｇＮＢ２００）から他のシステムへ干渉を与えうる。このため、アンライセンスバンドにおいては、通信装置（ＵＥ１００、ｇＮＢ２００）は、送信を行う前にＬＢＴ（Ｌｉｓｔｅｎ  Ｂｅｆｏｒｅ  Ｔａｌｋ）を適用することが義務づけられている。
【００４７】
ＬＢＴが適用される場合、ＵＥ１００及びｇＮＢ２００は、妨害波が存在するか否か、すなわち、チャネルが空いているか又は使用中（ビジー）であるかを評価するために、このチャネルの妨害波電力を測定及び監視する。
【００４８】
妨害波が存在しない、すなわち、チャネルが空いていると評価された場合、通信装置は、送信を実行することができる。一方、妨害波が存在する、すなわち、チャネルが使用中であると評価された場合、通信装置は、送信を実行することができない。通信装置は、妨害波が存在しないと評価される場合をＬＢＴ成功、妨害波が存在すると評価される場合をＬＢＴ失敗とみなす。このため、アンライセンスバンドにおいては通信装置が送信を行うことが可能な機会が制限される問題がある。
【００４９】
以下の第１実施形態において、上りリンクの通信を主として説明するが、第１実施形態は下りリンク又はサイドリンクにも適用可能である。サイドリンクとは、ＵＥ間の直接通信インターフェイスをいう。
【００５０】
第１実施形態に係る通信制御方法は、アンライセンスバンドで運用されるセルにおいて第１通信装置が第２通信装置との無線通信を行うための方法である。上りリンクの場合、第１通信装置はＵＥ１００であり、第２通信装置はｇＮＢ２００である。下りリンクの場合、第１通信装置はｇＮＢ２００であり、第２通信装置はＵＥ１００である。サイドリンクの場合、第１通信装置及び第２通信装置は互いに異なるＵＥ１００である。
【００５１】
第１実施形態において、セルのキャリア周波数内において、少なくとも、第１帯域幅部分と、第１帯域幅部分よりも帯域幅が狭い第２帯域幅部分とが設定される。第２帯域幅部分よりも帯域幅が狭い第２帯域幅部分がさらに設定されてもよい。
【００５２】
帯域幅部分とは、セルの全帯域の一部の周波数部分をいう。ＮＲにおいて、このような帯域幅部分をＢＷＰ（Ｂａｎｄｗｉｄｔｈ  ｐａｒｔ）と呼ばれる。ＢＷＰは、ｇＮＢ２００からＵＥ１００に設定され、一のＢＷＰから他のＢＷＰへの切り替えはｇＮＢ２００により制御される。例えば、２つのＢＷＰがＵＥ１００に設定されており、一方のＢＷＰがアクティブ且つ他方のＢＷＰが非アクティブである場合、ｇＮＢ２００は、アクティブなＢＷＰを一方のＢＷＰから他方のＢＷＰに切替えるよう制御できる。また、ＢＷＰごとにサブキャリア間隔（ｓｕｂｃａｒｒｉｅｒ  ｓｐａｃｉｎｇ）やサイクリックプリフィックスを可変設定できる。
【００５３】
ＢＷＰ間の切り替えは、ＰＤＣＣＨ（Ｐｈｙｓｉｃａｌ  Ｄｏｗｎｌｉｎｋ  Ｃｏｎｔｒｏｌ  Ｃｈａｎｎｅｌ）上で送信されるＤＣＩ（Ｄｏｗｎｌｉｎｋ  Ｃｏｎｔｒｏｌ  Ｉｎｆｏｒｍａｔｉｏｎ）又は非活性化タイマによって行われる。サービングセルに非アクティブタイマが設定されている場合、そのセルに関連付けられている非アクティブタイマが満了すると、アクティブなＢＷＰはネットワークから設定されているデフォルトのＢＷＰに切り替わる。
【００５４】
図６は、ＵＥ１００に設定されるＢＷＰの一例を示す図である。図６において、上りリンク用に４つのＢＷＰが設定される一例を示している。
【００５５】
図６に示すように、４つのＢＷＰは、帯域幅が最も広いＢＷＰ＃１と、帯域幅が２番目に広いＢＷＰ＃２と、帯域幅が３番目に広いＢＷＰ＃３と、帯域幅が最も狭いＢＷＰ＃４とを含む。ｇＮＢ２００は、周波数方向においてＢＷＰが重複するように設定する。
【００５６】
なお、図６において、各ＢＷＰが、最も狭いＢＷＰ＃４の帯域幅の整数倍の帯域幅を有する一例を示しているが、各ＢＷＰの帯域幅は最も狭いＢＷＰの整数倍でなくてもよい。また、各ＢＷＰのサブキャリア間隔は同じであってもよいし、異なっていてもよい。複数のＢＷＰのうち、少なくとも一つのＢＷＰが他のＢＷＰと周波数方向で重複しなくともよい。複数のＢＷＰの各々は、周波数方向で互いに重複しなくともよい。
【００５７】
図７は、第１実施形態に係る通信制御方法を示す図である。図７に示す動作において、ＵＥ１００がＲＲＣコネクティッド状態にあると仮定している。
【００５８】
図７に示すように、ステップＳ１０１において、図６に示すような複数のＢＷＰがｇＮＢ２００からＵＥ１００に設定される。ＢＷＰは、ブロードキャストのＲＲＣシグナリングであるＳＩＢ（Ｓｙｓｔｅｍ  Ｉｎｆｏｒｍａｔｉｏｎ  Ｂｌｏｃｋ）により設定されてもよいし、ユニキャストＲＲＣシグナリング（以下、専用ＲＲＣシグナリングと呼ぶ）により設定されてもよい。
【００５９】
また、ｇＮＢ２００は、設定した複数のＢＷＰをアクティブにする。例えば、ｇＮＢ２００は、設定した複数のＢＷＰをアクティブにするＤＣＩをＵＥ１００に送信してもよいし、各ＢＷＰの非アクティブタイマを同時に動作させてもよい。その後、ｇＮＢ２００は、各ＢＷＰについてＵＥ１００からの上りリンク送信を監視する（すなわち、復号を試みる）。上りリンク送信は、ＰＵＳＣＨ（Ｐｈｙｓｉｃａｌ  Ｕｐｌｉｎｋ  Ｓｈａｒｅｄ  Ｃｈａｎｎｅｌ）送信、ＰＵＣＣＨ（Ｐｈｙｓｉｃａｌ  Ｕｐｌｉｎｋ  Ｃｏｎｔｒｏｌ  Ｃｈａｎｎｅｌ）送信、及び／又は他の上りリンクチャネルの送信であってもよい。
【００６０】
ステップＳ１０２において、ＵＥ１００は、設定され且つアクティブなＢＷＰについて妨害波電力を測定する。ここで、ＵＥ１００は、最も広いＢＷＰについて所定の周波数単位ごとに妨害波電力を測定する。所定の周波数単位とは、最も狭いＢＷＰの帯域幅、リソースブロックの帯域幅、又はサブキャリアの帯域幅をいう。なお、リソースブロックは、複数のサブキャリアにより構成される。
【００６１】
例えば、図６において、ＵＥ１００は、ＢＷＰ＃１の帯域内において、ＢＷＰ＃４の帯域幅ごとに妨害波電力を測定する。具体的には、図６に示すＦ１乃至Ｆ４の各帯域について妨害波電力を測定する。そして、ＵＥ１００は、Ｆ１乃至Ｆ４の妨害波電力を積算することでＢＷＰ＃１の測定結果を取得し、Ｆ１乃至Ｆ３の妨害波電力を積算することでＢＷＰ＃２の測定結果を取得する。さらに、Ｆ１及びＦ２の妨害波電力を積算することでＢＷＰ＃３の測定結果を取得し、Ｆ１の妨害波電力をそのままＢＷＰ＃４の測定結果として取得する。これにより、１つのＢＷＰについて妨害波電力を測定するだけで、４つのＢＷＰについての測定結果を効率的に得ることができる。なお、リソースブロック単位又はサブキャリア単位で測定を行う場合も、同様の方法で各ＢＷＰの測定結果を得ることができる。
【００６２】
ステップＳ１０３において、ＵＥ１００は、最も広いＢＷＰ＃１について得られた測定結果に基づいて、ＢＷＰ＃１に妨害波が存在するか否かを評価する。例えば、ＵＥ１００は、ＢＷＰ＃１について得られた測定結果を、ｇＮＢ２００から設定された閾値と比較し、測定結果が閾値未満であれば妨害波が存在しない（すなわち、ＬＢＴ成功）と評価する。この場合、ＢＷＰ＃１を利用可能である。これに対し、測定結果が閾値以上であれば妨害波が存在する（すなわち、ＬＢＴ失敗）と評価する。この場合、ＢＷＰ＃１を利用不可である。
【００６３】
ＢＷＰ＃１に妨害波が存在しないと評価した場合（ステップＳ１０３：ＹＥＳ）、ステップＳ１０４において、ＵＥ１００は、ＢＷＰ＃１を用いてｇＮＢ２００に対する上りリンク送信を行う。
【００６４】
一方、ＢＷＰ＃１に妨害波が存在すると評価した場合（ステップＳ１０３：ＮＯ）、ステップＳ１０５において、ＵＥ１００は、次に広いＢＷＰ＃２について得られた測定結果に基づいて、ＢＷＰ＃２に妨害波が存在するか否かを評価する。
【００６５】
ＢＷＰ＃２に妨害波が存在しないと評価した場合（ステップＳ１０５：ＹＥＳ）、ステップＳ１０６において、ＵＥ１００は、ＢＷＰ＃２を用いてｇＮＢ２００に対する上りリンク送信を行う。
【００６６】
一方、ＢＷＰ＃２に妨害波が存在すると評価した場合（ステップＳ１０５：ＮＯ）、再びステップＳ１０５において、ＵＥ１００は、次に広いＢＷＰ＃３について得られた測定結果に基づいて、ＢＷＰ＃３に妨害波が存在するか否かを評価する。
【００６７】
このように、利用可能なＢＷＰが見つかるまで処理を繰り返す。但し、ＵＥ１００は、最も狭いＢＷＰ＃４まで処理を繰り返し、ＢＷＰ＃４についてＬＢＴ失敗と評価した場合、一定時間の経過後に本フローを最初からやり直す。
【００６８】
第１実施形態によれば、特に妨害波が狭帯域信号であるという想定下において、広帯域ＬＢＴで失敗した場合であっても、狭帯域ＬＢＴで評価すると成功する可能性があるため、ＬＢＴ成功率を上げることができる。
【００６９】
（第１実施形態の変更例）
上述した第１実施形態において、ＵＥ１００が広いＢＷＰから狭いＢＷＰへの順にＬＢＴの評価を行う一例について説明した。
【００７０】
しかしながら、評価する順番は、ｇＮＢ２００の設定によりＵＥ１００に指定されてもよい。例えば、ｇＮＢ２００は、ＬＢＴの評価を行う優先順位を専用ＲＲＣシグナリングによりＵＥ１００に設定する。ＵＥ１００は、ｇＮＢ２００から設定された優先順位に応じて、ＢＷＰごとにＬＢＴの評価を行う。
【００７１】
これによって、例えば、ｇＮＢ２００がＵＥ１００毎に別々のＢＷＰ優先度を設定し、ＵＥ１００が送信に用いるＢＷＰを分散させることが期待できる。これにより、システム全体としてＬＢＴ失敗の確率を下げることができる。
【００７２】
上述したように、複数のＢＷＰのうち、少なくとも一つのＢＷＰが他のＢＷＰと周波数方向で重複しなくともよい。換言すれば、複数のＢＷＰのうち、少なくとも一つのＢＷＰが他のＢＷＰと周波数方向で離間していてもよい。複数のＢＷＰの各々は、周波数方向で互いに離間していてもよい。
【００７３】
この場合、ＵＥ１００が、周波数方向で重複する複数のＢＷＰにおいてＬＢＴ失敗と評価されたとしても、周波数方向で離間するＢＷＰでＬＢＴが成功する可能性がある。つまり、図６に示す帯域Ｆ１に妨害波が存在すると図７に示す動作フローで一定時間経過後にフローを最初からやり直す必要が生じるが、そのような可能性を減らすことができる。その結果、ＬＢＴ失敗の確率を下げることができる。
【００７４】
（第２実施形態）
第２実施形態について、上述した第１実施形態との相違点を主として説明する。
【００７５】
上述したように、アンライセンスバンドにおいて、妨害波が存在するか否かの評価（以下、「ＬＢＴチェック」と呼ぶ）は、送信データが発生した場合に実行される。具体的には、アンライセンスバンドで運用されるセルに在圏する第１通信装置から第２通信装置に送信するデータが発生した場合、第１通信装置の物理レイヤが、アンライセンスバンドについて妨害波電力を測定することによりＬＢＴチェックを行う（第１実施形態を参照）。
【００７６】
ＮＲ−Ｕにおいて、ＲＲＣアイドル状態又はＲＲＣインアクティブ状態にあるＵＥ１００は、セル再選択処理により、アンライセンスバンドで運用されるセルをサービングセルとして選択しうる。ここで、ＵＥ１００は、妨害波が存在しないようなセルをセル再選択処理において再選択することが望ましい。なお、ＲＲＣアイドル状態又はＲＲＣインアクティブ状態においてＵＥ１００のサービングセルは、ＵＥ１００が「キャンプするセル」と呼ばれることもある。
【００７７】
しかしながら、一般的なセル再選択処理は、ＵＥ１００が、サービングセルからの参照信号の受信電力と、１又は複数の隣接セルからの参照信号の受信電力を測定し、最も受信電力が高くなるセル（ベストセル）を自身のサービングセルとして再選択することを基本としている。所望波の受信状態が最も良好になるセルであっても、妨害波が存在する場合には、そのセルを再選択することは好ましくない。
【００７８】
よって、ＮＲ−Ｕにおいては、送信データが発生していない場合であってもＬＢＴチェックを実施できることが望まれる。
【００７９】
図８は、第２実施形態に係る通信制御方法を示す図である。ここでは、ＵＥ１００の動作を例に挙げて説明するが、図８の動作をｇＮＢ２００が行ってもよい。なお、ＵＥ１００はアンライセンスバンドで運用されるセルにおいてＲＲＣアイドル状態又はＲＲＣインアクティブ状態にあると仮定しているが、ＵＥ１００がＲＲＣコネクティッド状態であってもよい。
【００８０】
図８に示すように、ステップＳ２０１において、ＵＥ１００の上位レイヤは、ＵＥ１００（第１通信装置）から他の通信装置（第２通信装置）に送信するデータが発生していない場合であっても、ＵＥ１００の物理レイヤに対してＬＢＴチェックを行うように指示する。この指示を行うトリガの具体例については、第５実施形態において説明する。
【００８１】
ここで、上位レイヤは、ＭＡＣレイヤ、又はＲＲＣレイヤであってもよい。
【００８２】
例えば、上位レイヤは、ＬＢＴチェックを行うように指示するＬＢＴ  ｃｈｅｃｋ  ｉｎｄｉｃａｔｉｏｎを物理レイヤに通知する。上位レイヤは、物理レイヤがＬＢＴ  ｃｈｅｃｋを何回実施すべきか（例えば、Ｎ回（Ｎ≧１））を物理レイヤに通知してもよい。
【００８３】
また、上位レイヤは、ＬＢＴチェック対象のキャリア周波数又はチャネルを物理レイヤに通知してもよい。ＬＢＴチェック対象は、サービングセルのキャリア周波数であるサービング周波数、サービング周波数の一部の帯域（チャネル）、サービング周波数とは異なる隣接周波数（具体的には、アンライセンスバンドに属する隣接周波数）、及び／又は隣接周波数の一部の帯域（チャネル）であってもよい。
【００８４】
ステップＳ２０２において、ＵＥ１００の物理レイヤは、上位レイヤからの指示に応じてＬＢＴチェックを行う。物理レイヤは、上位レイヤから通知された回数のＬＢＴチェックを行ってもよい。
【００８５】
ステップＳ２０３において、ＵＥ１００の物理レイヤは、ステップＳ２０２のＬＢＴチェックの結果を上位レイヤに通知する。例えば、物理レイヤは、ＬＢＴ成功又はＬＢＴ失敗を上位レイヤに通知する。物理レイヤは、複数回のＬＢＴ  ｃｈｅｃｋ結果を上位レイヤに通知してもよい（例えば、Ｍ回成功、Ｌ回失敗（Ｍ，Ｌ≧０））。物理レイヤは、ＬＢＴ  ｃｈｅｃｋを実行した回数と、成功した回数とを上位レイヤに通知し、失敗した回数を上位レイヤに通知しなくともよい。物理レイヤは、ＬＢＴ  ｃｈｅｃｋを実行した回数と、失敗した回数とを上位レイヤに通知し、成功した回数を上位レイヤに通知しなくともよい。
【００８６】
ステップＳ２０４において、ＵＥ１００の上位レイヤは、物理レイヤからの通知に基づいて、アンライセンスバンドについて混雑度を判定（評価）する。例えば、上位レイヤは、ＬＢＴチェック失敗の場合、ＬＢＴチェックがＮ回（Ｎ≧２）以上失敗した場合、ＬＢＴチェックが失敗した割合が閾値以上である場合、ＬＢＴチェック対象のキャリア周波数又はチャネルが混雑していると判定してもよい。
【００８７】
第２実施形態によれば、物理レイヤと上位レイヤとの間のレイヤ間の協調により、送信データが発生していない場合であってもＬＢＴチェックを実施可能とすることができる。
【００８８】
（第３実施形態）
第３実施形態について、上述した各実施形態との相違点を主として説明する。第３実施形態は、無線リンク障害（ＲＬＦ）に関する実施形態である。
【００８９】
一般的に、ＲＲＣコネクティッド状態にあるＵＥ１００は、物理レイヤにおいて無線問題が検知されてから一定時間内にこの無線問題が回復しない場合、ランダムアクセス手順が失敗した場合、又はＲＬＣレイヤの障害が検知された場合、ＲＬＦを検知する。ここで物理レイヤの無線問題は、例えば、サービングセルからの同期信号の受信不良により同期外れ（ｏｕｔ  ｏｆ  ｓｙｎｃ）が発生したことである。
【００９０】
そして、ＲＬＦを検知したＵＥ１００は、ＲＲＣコネクティッド状態を維持しつつ、他の適切なセルを選択してＲＲＣ再確立を開始する。但し、ＲＬＦが検知されてから一定時間内に適切なセルが見つからなかった場合は、ＵＥ１００は、ＲＲＣアイドル状態に遷移する。
【００９１】
しかしながら、ＮＲ−Ｕにおいては、上述したような一般的なＲＬＦの検知基準に加えて、妨害波の状況を加味したＲＬＦ検知基準が導入されることが望ましい。
【００９２】
図９は、第３実施形態に係る通信制御方法を示す図である。本動作において、ＵＥ１００はアンライセンスバンドで運用されるセルにおいてＲＲＣコネクティッド状態にあると仮定している。
【００９３】
図９に示すように、ステップＳ３０１において、ＵＥ１００は、サービングセルのキャリア周波数について妨害波電力を測定することにより、サービングセルについて混雑度を評価する。
【００９４】
ここで、混雑度の評価方法は、上述した第１実施形態及び第２実施形態と同様であってもよい。混雑度の評価方法は、チャネル占有率（Ｃｈａｎｎｅｌ  ｏｃｃｕｐａｎｃｙ）に基づくものであってもよい。チャネル占有率とは、ある一定期間において測定された複数の受信電力（ＲＳＳＩ：Ｒｅｃｅｉｖｅｄ  Ｓｉｇｎａｌ  Ｓｔｒｅｎｇｔｈ  Ｉｎｄｉｃａｔｏｒ）サンプル値のうち閾値を超えるＲＳＳＩサンプル値の割合をいう。この一定期間及び閾値は、ｇＮＢ２００からＵＥ１００に設定されてもよい。また、ｇＮＢ２００は、ＲＳＳＩ測定を行うべきタイミングをＵＥ１００に設定してもよい。例えば、ｇＮＢ２００は、自身が無線信号を送信しないタイミングにおいてＵＥ１００がＲＳＳＩ測定を行うようにＲＳＳＩ測定タイミングを決定する。ｇＮＢ２００は、当該決定したＲＳＳＩ測定タイミングを専用ＲＲＣシグナリングによりＵＥ１００に設定してもよい。
【００９５】
ステップＳ３０２において、ＵＥ１００は、ステップＳ３０２で評価した混雑度に基づいて、ＲＬＦを検知する。例えば、ＵＥ１００は、ＬＢＴチェック失敗の場合、ＬＢＴチェックがＮ回（Ｎ≧２）以上失敗した場合、ＬＢＴチェックが失敗した割合が閾値以上である場合、又はチャネル占有率が閾値以上である場合、サービングセルが混雑していると判定し、ＲＬＦを検知してもよい。
【００９６】
ここで、ＵＥ１００は、上述した一般的なＲＬＦ検知基準が満たされていない場合であっても、サービングセルが混雑していると判定した場合には、ＲＬＦを検知してもよい。例えば、ＵＥ１００は、物理レイヤにおいて無線問題が検知されていない（例えば、サービングセルからの同期信号を正常に受信できている）場合であっても、サービングセルが混雑していると判定した場合には、ＲＬＦを検知してもよい。
【００９７】
ステップＳ３０３において、ＵＥ１００は、ＲＬＦの検知に応じて、ＲＲＣコネクティッド状態を維持しつつ現在のサービングセルとは異なるセルを選択することにより、ＲＲＣ再確立処理を行う。
【００９８】
第３実施形態によれば、ＮＲ−Ｕに適したＲＬＦ検知基準を導入し、サービングセルが混雑しているような場合にＵＥ１００が他のセルに移行できる。
【００９９】
なお、ＮＲ−ＵにおいてＤｕａｌ  Ｃｏｎｎｅｃｔｉｖｉｔｙが適用される場合、ＳＣＧ（Ｓｅｃｏｎｄａｒｙ  Ｃｅｌｌ  Ｇｒｏｕｐ）−ＲＬＦに同様の検知基準を適用してもよい。Ｄｕａｌ  Ｃｏｎｎｅｃｔｉｖｉｔｙは、ＵＥ１００がマスタ基地局及びセカンダリ基地局と同時に通信する技術であり、ＳＣＧは、セカンダリ基地局により管理されるセカンダリセルからなるグループである。この場合、上述した第３実施形態におけるサービングセルをセカンダリセルと読み替えればよい。
【０１００】
また、ＳＣＧ−ＲＬＦを検知したＵＥ１００は、ＳＣＧ−ＲＬＦに関する情報（ＳＣＧ  ｆａｉｌｕｒｅ  ｉｎｆｏｒｍａｔｉｏｎ）をマスタ基地局に送信してもよい。ここで、ＵＥ１００は、障害の種別（ｆａｉｌｕｒｅ  ｔｙｐｅ）として、混雑によるｆａｉｌｕｒｅ（ｃｈａｎｎｅｌ  ｏｃｃｕｐｉｅｄ等）を示す情報をＳＣＧ  ｆａｉｌｕｒｅ  ｉｎｆｏｒｍａｔｉｏｎに含めてもよい。
【０１０１】
（第４実施形態）
第４実施形態について、上述した各実施形態との相違点を主として説明する。第４実施形態は、ＲＲＣアイドル状態又はＲＲＣインアクティブ状態におけるセル再選択処理に関する実施形態である。
【０１０２】
一般的なセル再選択処理においては、ｇＮＢ２００からＵＥ１００に周波数優先度が設定され、ＵＥ１００は周波数優先度を考慮してセル再選択処理を行う。例えば、ＵＥ１００は、現在のサービングセルのキャリア周波数に設定された優先度よりも高い優先度を有する隣接周波数が存在する場合、この隣接周波数に対する測定（所望波の受信電力の測定）を常に行う。このような測定は、インター周波数測定と呼ばれる。
【０１０３】
しかしながら、ＮＲ−Ｕにおいて、高優先度の隣接周波数が混雑している場合には、この隣接周波数に属するセルを再選択することは好ましくないため、この隣接周波数に対する測定を行わないことが望ましい。これにより、測定によるＵＥ１００の消費電力を節約できる。
【０１０４】
第４実施形態において、ＲＲＣアイドル状態又はＲＲＣインアクティブ状態にあるＵＥ１００は、現在のサービングセルのキャリア周波数に設定された優先度よりも高い優先度を有する高優先度周波数について妨害波電力を測定する。これにより、当該ＵＥ１００は、高優先度周波数について混雑度を評価する。混雑度の評価方法については、上述した第１実施形態乃至第３実施形態と同様である。
【０１０５】
そして、ＵＥ１００は、高優先度周波数が混雑していると評価した場合、一定期間において高優先度周波数に対する測定をスキップする。ここで、この一定期間を規定するタイマの値は、ｇＮＢ２００からＵＥ１００にＳＩＢ又は専用ＲＲＣシグナリングにより設定されてもよい。
【０１０６】
例えば、ＵＥ１００は、高優先度周波数が混雑していると評価した場合、一定期間において、混雑度評価（すなわち、妨害波電力の測定）をスキップしてもよいし、この高優先度周波数に対するインター周波数測定（すなわち、所望波電力の測定）をスキップしてもよい。
【０１０７】
ＵＥ１００は、高優先度周波数が混雑していると評価した場合、一定期間において、この高優先度周波数に設定された優先度を下げる（例えば、最低優先度とみなす）ことにより測定を抑制してもよい。
【０１０８】
図１０は、第４実施形態に係る通信制御方法を示す図である。本動作において、ＵＥ１００はアンライセンスバンドで運用されるセルにおいてＲＲＣアイドル状態又はＲＲＣインアクティブ状態にあると仮定している。
【０１０９】
図１０に示すように、ステップＳ４０１において、ＵＥ１００は、高優先度周波数について妨害波電力を測定することにより混雑度を評価する。
【０１１０】
高優先度周波数が混在していると評価した場合（ステップＳ４０２：ＹＥＳ）、ステップＳ４０３において、ＵＥ１００は、タイマをスタートするとともに、高優先度周波数に対する測定をスキップする。ＵＥ１００は、タイマが動作している間は、高優先度周波数に対する測定スキップを継続する。
【０１１１】
ステップＳ４０４において、ＵＥ１００は、サービング周波数について妨害波電力を測定することにより混雑度を評価する。
【０１１２】
サービング周波数が混在していると評価した場合（ステップＳ４０５：ＹＥＳ）、ステップＳ４０６において、ＵＥ１００は、タイマを停止し、ステップＳ４０１に処理を戻す。
【０１１３】
一方、サービング周波数が混在していないと評価した場合（ステップＳ４０５：ＮＯ）、ステップＳ４０７において、ＵＥ１００は、タイマが満了したか否かを確認する。タイマが満了した場合（ステップＳ４０７：ＹＥＳ）、ＵＥ１００は、ステップＳ４０１に処理を戻す。タイマが満了していない場合（ステップＳ４０７：ＮＯ）、ＵＥ１００は、ステップＳ４０４に処理を戻す。
【０１１４】
第４実施形態によれば、高優先度の隣接周波数が混雑している場合に、この隣接周波数に対する測定を行わないことにより、ＵＥ１００の消費電力を節約できる。
【０１１５】
（第５実施形態）
第５実施形態について、上述した各実施形態との相違点を主として説明する。
【０１１６】
上述した混雑度評価（特に、チャネル占有率の測定）は、ＵＥ１００の消費電力が大きいため、できる限り混雑度評価を行う時間及び回数を削減することが望ましい。
【０１１７】
図１１は、第５実施形態に係る通信制御方法を示す図である。本動作において、ＵＥ１００はアンライセンスバンドで運用されるセルにおいてＲＲＣアイドル状態又はＲＲＣインアクティブ状態にあると仮定している。
【０１１８】
図１１に示すように、ＵＥ１００は、所定条件が満たされた場合（ステップＳ５０１）に限り、ステップＳ５０２において、アンライセンスバンドについて妨害波電力を測定することにより混雑度を評価する。
【０１１９】
ここで、混雑度評価は、基本的には現在のサービングセル（サービング周波数）の混雑度評価を想定しているが、隣接セル（隣接周波数）に対して適用されてもよい。例えば、ＵＥ１００は、現在のサービングセル（サービング周波数）が混雑していた場合に、隣接セル（隣接周波数）の混雑度評価を行ってもよい。ＵＥ１００は、現在のサービングセル（サービング周波数）に設定された優先度が最高優先度ではない又は最上ランク（すなわち、所望波電力の受信電力が最も高い）ではない場合に、隣接セル（隣接周波数）の混雑度評価を行ってもよい。このような動作は、上述した各実施形態においても同様に適用してもよい。
【０１２０】
混雑度評価を実行するべき所定条件は、ＵＥ１００がサービングセルから受信する無線信号の受信電力（所望波電力）が閾値を下回ったという条件であってもよい。この無線信号は、ＲＬＭ−ＲＳ（Ｒａｄｉｏ  Ｌｉｎｋ  Ｍｏｎｉｔｏｒｉｎｇ  Ｒｅｆｅｒｅｎｃｅ  Ｓｉｇｎａｌ）であってもよいし、ＳＳＢ（Ｓｙｎｃｈｒｏｎｉｚａｔｉｏｎ  Ｓｉｇｎａｌ  ａｎｄ  ＰＢＣＨ  ｂｌｏｃｋ）であってもよい。所望波電力がゼロである場合、ＵＥ１００は、ｇＮＢ２００がＬＢＴに失敗したとみなし、サービング周波数が混雑していると判定してもよい。ＵＥ１００は、サービング周波数が混雑していないと判定した場合、同一周波数の他セルへのセル再選択を行ってもよい。ＵＥ１００は、サービング周波数が混雑していると判定した場合、インター周波数測定を行い、隣接周波数の他セルへのセル再選択を行ってもよい。
【０１２１】
混雑度評価を実行するべき所定条件は、ＵＥ１００がセルを介してトラッキングエリア更新処理（ＴＡＵ：Ｔｒａｃｋｉｎｇ  Ａｒｅａ  Ｕｐｄａｔｅ）又はＲＡＮノティフィケーションエリア更新処理（ＲＮＡＵ：ＲＡＮ−ｂａｓｅｄ  Ｎｏｔｉｆｉｃａｔｉｏｎ  Ａｒｅａ  Ｕｐｄａｔｅ）を行うという条件であってもよい。ＴＡＵは、ＵＥ１００が一のトラッキングエリアから他のトラッキングエリアに移動する際にＡＭＦに対して通知する処理である。ＲＮＡＵは、ＲＲＣコネクティッド状態にあるＵＥ１００が一のＲＡＮ−ｂａｓｅｄ  Ｎｏｔｉｆｉｃａｔｉｏｎ  Ａｒｅａから他のＲＡＮ−ｂａｓｅｄ  Ｎｏｔｉｆｉｃａｔｉｏｎ  Ａｒｅａに移動する際に移動先のｇＮＢ２００に対して通知する処理である。ここで、ＵＥ１００は、サービング周波数及び隣接周波数のそれぞれについて混雑度評価を行い、これらの周波数のうち混雑していない周波数において送信を行ってもよい。
【０１２２】
混雑度評価を実行するべき所定条件は、ＵＥ１００がセルに対する接続処理を行うという条件であってもよい。接続処理は、ランダムアクセスプロシージャにおけるＰＲＡＣＨ（Ｐｈｙｓｉｃａｌ  Ｒａｎｄｏｍ  Ａｃｃｅｓｓ  Ｃｈａｎｎｅｌ）送信であってもよいし、ランダムアクセスプロシージャにおけるＭｓｇ３（例えば、ＲＲＣ  Ｒｅｑｕｅｓｔメッセージ）送信であってもよい。ここで、ＵＥ１００は、サービング周波数及び隣接周波数のそれぞれについて混雑度評価を行い、これらの周波数のうち混雑していない周波数において送信を行ってもよい。
【０１２３】
混雑度評価を実行するべき所定条件は、ＵＥ１００がセル再選択処理を行うという条件であってもよい。ここで、ＵＥ１００は、サービング周波数が混雑している場合、インター周波数測定を行ってもよい。
【０１２４】
（その他の実施形態）
上述した各実施形態は、別個独立して実施するだけではなく、２以上の実施形態を組み合わせて実施してもよい。
【０１２５】
上述した各実施形態において、５Ｇシステム（ＮＲ）について主として説明したが、各実施形態に係る動作をＬＴＥに適用してもよい。
【０１２６】
なお、ＵＥ１００又はｇＮＢ２００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２７】
また、ＵＥ１００又はｇＮＢ２００が行う各処理を実行する回路を集積化し、ＵＥ１００又はｇＮＢ２００の少なくとも一部を半導体集積回路（チップセット、ＳｏＣ）として構成してもよい。
【０１２８】
以上、図面を参照して一実施形態について詳しく説明したが、具体的な構成は上述のものに限られることはなく、要旨を逸脱しない範囲内において様々な設計変更等をすることが可能である。
【０１２９】
本願は、米国仮出願第６２／７９０５９２号（２０１９年１月１０日出願）の優先権を主張し、その内容の全てが本願明細書に組み込まれている。
【図１】
2020145000.tif 000003
【図２】
2020145000.tif 000004
【図３】
2020145000.tif 000005
【図４】
2020145000.tif 000006
【図５】
2020145000.tif 000007
【図６】
2020145000.tif 000008
【図７】
2020145000.tif 000009
【図８】
2020145000.tif 000010
【図９】
2020145000.tif 000011
【図１０】
2020145000.tif 000012
【図１１】
2020145000.tif 000013
【手続補正書】
【提出日】令和3年7月6日(2021.7.6)
【手続補正１】
【補正対象書類名】明細書
【補正対象項目名】００５１
【補正方法】変更
【補正の内容】
【００５１】
第１実施形態において、セルのキャリア周波数内において、少なくとも、第１帯域幅部分と、第１帯域幅部分よりも帯域幅が狭い第２帯域幅部分とが設定される。第２帯域幅部分よりも帯域幅が狭い第３帯域幅部分がさらに設定されてもよい。
【手続補正２】
【補正対象書類名】明細書
【補正対象項目名】００９５
【補正方法】変更
【補正の内容】
【００９５】
ステップＳ３０２において、ＵＥ１００は、ステップＳ３０１で評価した混雑度に基づいて、ＲＬＦを検知する。例えば、ＵＥ１００は、ＬＢＴチェック失敗の場合、ＬＢＴチェックがＮ回（Ｎ≧２）以上失敗した場合、ＬＢＴチェックが失敗した割合が閾値以上である場合、又はチャネル占有率が閾値以上である場合、サービングセルが混雑していると判定し、ＲＬＦを検知してもよい。
【手続補正３】
【補正対象書類名】明細書
【補正対象項目名】０１１０
【補正方法】変更
【補正の内容】
【０１１０】
高優先度周波数が混雑していると評価した場合（ステップＳ４０２：ＹＥＳ）、ステップＳ４０３において、ＵＥ１００は、タイマをスタートするとともに、高優先度周波数に対する測定をスキップする。ＵＥ１００は、タイマが動作している間は、高優先度周波数に対する測定スキップを継続する。
【手続補正４】
【補正対象書類名】明細書
【補正対象項目名】０１１２
【補正方法】変更
【補正の内容】
【０１１２】
サービング周波数が混雑していると評価した場合（ステップＳ４０５：ＹＥＳ）、ステップＳ４０６において、ＵＥ１００は、タイマを停止し、ステップＳ４０１に処理を戻す。
【手続補正５】
【補正対象書類名】明細書
【補正対象項目名】０１１３
【補正方法】変更
【補正の内容】
【０１１３】
一方、サービング周波数が混雑していないと評価した場合（ステップＳ４０５：ＮＯ）、ステップＳ４０７において、ＵＥ１００は、タイマが満了したか否かを確認する。タイマが満了した場合（ステップＳ４０７：ＹＥＳ）、ＵＥ１００は、ステップＳ４０１に処理を戻す。タイマが満了していない場合（ステップＳ４０７：ＮＯ）、ＵＥ１００は、ステップＳ４０４に処理を戻す。
【手続補正６】
【補正対象書類名】明細書
【補正対象項目名】０１１９
【補正方法】変更
【補正の内容】
【０１１９】
ここで、混雑度評価は、基本的には現在のサービングセル（サービング周波数）の混雑度評価を想定しているが、隣接セル（隣接周波数）に対して適用されてもよい。例えば、ＵＥ１００は、現在のサービングセル（サービング周波数）が混雑していた場合に、隣接セル（隣接周波数）の混雑度評価を行ってもよい。ＵＥ１００は、現在のサービングセル（サービング周波数）に設定された優先度が最高優先度ではない又は最上ランク（すなわち、所望波の受信電力が最も高い）ではない場合に、隣接セル（隣接周波数）の混雑度評価を行ってもよい。このような動作は、上述した各実施形態においても同様に適用してもよい。
【手続補正７】
【補正対象書類名】特許請求の範囲
【補正対象項目名】全文
【補正方法】変更
【補正の内容】
【特許請求の範囲】
【請求項１】
アンライセンスバンドで運用されるセルにおいて用いられる通信制御方法であって、
前記セルに在圏するユーザ装置から基地局に送信するデータが発生した場合、前記ユーザ装置の物理レイヤが、前記データの送信を行う前にＬＢＴ（Ｌｉｓｔｅｎ  Ｂｅｆｏｒｅ  Ｔａｌｋ）を行うことと、
前記物理レイヤが、前記ＬＢＴの失敗を、前記ユーザ装置のＭＡＣ（Ｍｅｄｉｕｍ  Ａｃｃｅｓｓ  Ｃｏｎｔｒｏｌ）レイヤに通知することと、
前記ＭＡＣレイヤが、前記ＬＢＴが失敗した回数を計測することと、
前記ＭＡＣレイヤが、前記ＬＢＴが失敗した回数が閾値に到達するか否かを判断することと、
前記ユーザ装置が、前記ＬＢＴが失敗した回数が前記閾値に到達したと前記ＭＡＣレイヤが判断した場合、前記ユーザ装置と前記基地局との間の無線リンク障害を検知することと、を含む
通信制御方法。
【請求項２】
前記ユーザ装置が、他の基地局をマスタ基地局とし、前記基地局をセカンダリ基地局とする二重接続を行うことと、
前記ユーザ装置が、前記無線リンク障害を検知することに応じて、前記マスタ基地局に対して、前記無線リンク障害に関するＳＣＧ  Ｆａｉｌｕｒｅ  Ｉｎｆｏｒｍａｔｉｏｎメッセージを送信すること、をさらに含み、
前記ＳＣＧ  Ｆａｉｌｕｒｅ  Ｉｎｆｏｒｍａｔｉｏｎメッセージは、前記無線リンク障害の種別として、ＬＢＴ失敗による障害を示す情報を含む
請求項１に記載の通信制御方法。
【請求項３】
アンライセンスバンドで運用されるセルに在圏するユーザ装置であって、
前記ユーザ装置から基地局に送信するデータが発生した場合、物理レイヤにおいて前記データの送信を行う前にＬＢＴ（Ｌｉｓｔｅｎ  Ｂｅｆｏｒｅ  Ｔａｌｋ）を行う制御部を備え、
前記制御部は、
前記物理レイヤにおいて、前記ＬＢＴの失敗を、前記ユーザ装置のＭＡＣ（Ｍｅｄｉｕｍ  Ａｃｃｅｓｓ  Ｃｏｎｔｒｏｌ）レイヤに通知し、
前記ＭＡＣレイヤにおいて、前記ＬＢＴが失敗した回数を計測し、
前記ＭＡＣレイヤにおいて、前記ＬＢＴが失敗した回数が閾値に到達するか否かを判断し、
前記ＬＢＴが失敗した回数が前記閾値に到達したと前記ＭＡＣレイヤが判断した場合、前記ユーザ装置と前記基地局との間の無線リンク障害を検知する
ユーザ装置。
【請求項４】
アンライセンスバンドで運用されるセルに在圏するユーザ装置を制御するプロセッサであって、
前記ユーザ装置から基地局に送信するデータが発生した場合、物理レイヤにおいて前記データの送信を行う前にＬＢＴ（Ｌｉｓｔｅｎ  Ｂｅｆｏｒｅ  Ｔａｌｋ）を行う処理と、
前記物理レイヤにおいて、前記ＬＢＴの失敗を、前記ユーザ装置のＭＡＣ（Ｍｅｄｉｕｍ  Ａｃｃｅｓｓ  Ｃｏｎｔｒｏｌ）レイヤに通知する処理と、
前記ＭＡＣレイヤにおいて、前記ＬＢＴが失敗した回数を計測する処理と、
前記ＭＡＣレイヤにおいて、前記ＬＢＴが失敗した回数が閾値に到達するか否かを判断する処理と、
前記ＬＢＴが失敗した回数が前記閾値に到達したと前記ＭＡＣレイヤが判断した場合、前記ユーザ装置と前記基地局との間の無線リンク障害を検知する処理と、を実行する
プロセッサ。
【国際調査報告】
2020145000.tif 000014
2020145000.tif 000015
2020145000.tif 000016
2020145000.tif 000017
2020145000.tif 000018
2020145000.tif 000019
2020145000.tif 000020
2020145000.tif 000021
2020145000.tif 000022
2020145000.tif 000023
2020145000.tif 000024
2020145000.tif 000025
2020145000.tif 000026